(57)【要約】【課題】複数の梱包ケースの荷崩れを、梱包ケースとは別の部品を用いることなく防止できてコストを低減でき、前記別の部品を用いる場合よりも梱包ケースの積み重ね作業を簡単に行うことができる梱包ケースを提供する。【解決手段】ケース素材２０を箱状に折り曲げて形成される梱包ケース１であり、ケース上壁３とケース底壁４とのいずれか一方に、ケース素材２０から切り起こされた切り起こし片８が重ね合わされて、ケース外側に突出する嵌合凸部が形成され、ケース上壁３とケース底壁４とのいずれか他方に、嵌合凸部に対応し、ケース外側に向かって開口する嵌合凹部が、平面視で嵌合凸部に重なるように形成されている。【選択図】図３
2019189258.tif 000002
【特許請求の範囲】
【請求項１】
ケース素材を箱状に折り曲げて形成される梱包ケースであって、
ケース上壁とケース底壁とのいずれか一方に、ケース外側に突出する嵌合凸部が形成され、
前記ケース上壁と前記ケース底壁とのいずれか他方に、前記嵌合凸部に対応し、ケース外側に向かって開口する嵌合凹部が、平面視で前記嵌合凸部に重なるように形成されている梱包ケース。
【請求項２】
前記嵌合凸部は、前記ケース素材から切り起こした切り起こし片を、前記一方に重ね合わせて形成されている請求項１記載の梱包ケース。
【請求項３】
前記ケース上壁と前記ケース底壁との間のケース胴部は、断面長方形状に形成されて４枚の側板から成り、
前記４枚の側板の上端部に４枚の上板片が折り目を介して各別に連設され、
前記４枚の側板の下端部に４枚の底板片が折り目を介して各別に連設され、
前記ケース上壁は、前記４枚の上板片を前記折り目で前記上側開口側に折曲して構成され、
前記ケース底壁は、前記４枚の底板片を前記折り目で前記下側開口側に折曲して構成され、
平面視でケース中心を挟んで位置する前記ケース上壁の一対の上板片は、別の一対の前記上板片にケース外側から重ねられ、
平面視でケース中心を挟んで位置する前記ケース底壁の一対の底板片は、別の一対の底板片にケース外側から重ねられ、
前記切り起こし片は、前記別の一対の上板片に対応するケース素材部分、又は、前記別の一対の底板片に対応するケース素材部分から切り起こされている請求項２記載の梱包ケース。
【請求項４】
前記嵌合凹部は、前記別の一対の底板片にケース外側から重ねられる前記一対の底板片に形成された切欠きにより形成されている請求項３に記載の梱包ケース。
【請求項５】
前記嵌合凸部と前記嵌合凹部は複数組設けられ、
複数の前記嵌合凸部が前記一方に分散配設され、
複数の前記嵌合凹部が前記他方に分散配設されている請求項１〜４のいずれか一つに記載の梱包ケース。
【発明の詳細な説明】
【技術分野】
【０００１】
本発明は梱包ケースに関する。
【背景技術】
【０００２】
梱包ケースは複数個が積み重ねられた状態で運搬・保管される。そのために、梱包ケースの運搬時や保管時には、積み重ねられた複数の梱包ケースが荷崩れしないようにする必要がある。
そこで、従来、特許文献１に開示されているように、長尺の筒部材を扁平にした帯状のシートカバー（特許文献１の図１の符号１の部品）を複数の梱包ケースに巻回し、シートカバーの端部同士を互いに連結して複数の梱包ケースを固定していた。
【先行技術文献】
【特許文献】
【０００３】
【特許文献１】特開２００３−２３７７８３号公報
【発明の概要】
【発明が解決しようとする課題】
【０００４】
しかしながら、上記従来の技術によれば、梱包ケースとは別の部品であるシートカバーの製作にコストがかかるという問題や、シートカバーの梱包ケースへの巻回作業に手間がかかるという問題があった。
本発明は上記実状に鑑みて成されたものである。その目的は、複数の梱包ケースの荷崩れを、梱包ケースとは別の部品を用いることなく防止できてコストを低減でき、別の部品を用いる場合よりも梱包ケースの積み重ね作業を簡単に行うことができる梱包ケースを提供する点にある。
【課題を解決するための手段】
【０００５】
本発明の梱包ケースは、ケース素材を箱状に折り曲げて形成される梱包ケースである。  ケース上壁とケース底壁とのいずれか一方に、ケース外側に突出する嵌合凸部が形成されている。そして、前記ケース上壁と前記ケース底壁とのいずれか他方に、前記嵌合凸部に対応し、ケース外側に向かって開口する嵌合凹部が、平面視で前記嵌合凸部に重なるように形成されている。
【発明の効果】
【０００６】
本発明によれば、複数の梱包ケースの荷崩れを、梱包ケースとは別の部品を用いることなく防止できてコストを低減でき、別の部品を用いる場合よりも梱包ケースの積み重ね作業を簡単に行うことができる梱包ケースを提供することができる。
【図面の簡単な説明】
【０００７】
【図１】図１は梱包ケースの上面図である。
【図２】図２は梱包ケースの底面図である。
【図３】図３は梱包ケースの展開図である。
【図４】図４は、上側の梱包ケースを下側の梱包ケースに積み重ねる方法を示す側面図である。
【図５】図５は、上下に積み重ねられた上下一対の梱包ケースの斜視図である。
【図６】図６は、上下に積み重ねられた上下一対の梱包ケースが傾斜した状態を示す側面図である。
【発明を実施するための形態】
【０００８】
以下、本発明の実施の形態を図面に基づいて説明する。
図１〜図３に、一枚のケース素材２０（図３参照）を箱状に折り曲げて形成される梱包ケース１を示してある。この梱包ケース１には、複写機、ファクシミリ、プリンタ、複合機（ＭＦＰ）等の画像形成装置（図示せず）に装着される部品が収容される。ケース素材２０としては、紙製あるいは樹脂製の段ボールを採用することができる。ケース素材２０は段ボール以外の素材であってもよい。
【０００９】
［梱包ケース１の構造］
梱包ケース１は、中空状のケース胴部２と、ケース胴部２の上側開口を閉じるケース上壁３と、ケース胴部２の下側開口を閉じるケース底壁４とを備えている。
【００１０】
［ケース胴部２の構造］
ケース胴部２は断面長方形状に形成されており、前記長方形の４つの辺に各別に対応する第１〜第４側板５Ａ，５Ｂ，５Ｃ，５Ｄから成る。第１〜第４側板５Ａ，５Ｂ，５Ｃ，５Ｄの隣り合うもの同士の間には、折り目Ｐ（図３参照）が上下方向に沿って形成されている。また、第１側板５Ａの長手方向の一端部に、前記長手方向に突出する縦長の接着片１２が連設されている。ケース胴部２は、第１〜第４側板５Ａ，５Ｂ，５Ｃ，５Ｄを、これらが断面長方形状を成すように前記折り目Ｐで折曲し、第１側板５Ａの接着片１２を第４側板５Ｄの一端部に貼着して形成されている。
【００１１】
前記第１〜第４側板５Ａ，５Ｂ，５Ｃ，５Ｄの上端部に、長方形状の第１〜第４上板片６Ａ，６Ｂ，６Ｃ，６Ｄが折り目Ｐを介して各別に連設されている。また、第１〜第４側板５Ａ，５Ｂ，５Ｃ，５Ｄの下端部に、長方形状の第１〜第４底板片７Ａ，７Ｂ，７Ｃ，７Ｄが折り目Ｐを介して各別に連設されている。
【００１２】
［ケース上壁３の構造］
ケース上壁３は、第１〜第４上板片６Ａ，６Ｂ，６Ｃ，６Ｄを前記折り目Ｐで前記上側開口側に折曲して構成されている。平面視でケース中心Ｏを挟んで位置するケース上壁３の第１上板片６Ａと第３上板片６Ｃ（一対の上板片に相当）は、第２上板片６Ｂと第４上板片６Ｄ（別の一対の上板片に相当）にケース外側から重ねられている。
【００１３】
第１上板片６Ａと第３上板片６Ｃの前記折り目Ｐとは反対側の端部（以下、「先端部」と称する）同士は互いに突き合わされている。そして、第１上板片６Ａと第３上板片６Ｃの互いに突き合わされた端部同士の外面に粘着テープＴが貼着されて、前記突き合わされた端部同士が互いに連結されている。
【００１４】
［ケース底壁４の構造］
ケース底壁４は、第１〜第４底板片７Ａ，７Ｂ，７Ｃ，７Ｄを前記折り目Ｐで前記下側開口側に折曲して構成されている。平面視でケース中心Ｏを挟んで位置するケース底壁４の第１底板片７Ａと第３底板片７Ｃ（一対の底板片に相当）は、第２底板片７Ｂと第４底板片７Ｄ（別の一対の底板片に相当）にケース外側から重ねられている。
【００１５】
第１底板片７Ａと第３底板片７Ｃの前記折り目Ｐとは反対側の端部（以下、「先端部」と称する）同士は互いに突き合わされている。そして、第１底板片７Ａと第３底板片７Ｃの互いに突き合わされた端部同士の外面に粘着テープＴが貼着されて、前記突き合わされた端部同士が互いに連結されている。
【００１６】
［嵌合凸部９と嵌合凹部１０の構造］
図１，図３に示すように、ケース上壁３に、ケース素材２０から切り起こされた長方形状の切り起こし片８が重ね合わされて、ケース外側（上側）に突出する嵌合凸部９が形成されている。これにより、嵌合凸部９を簡単に形成することができる。さらに、嵌合凸部９をケース上壁３に確実に一体化することができる。図３に示すように、ケース素材２０には、切り起こし片８を囲むＵ字状のスリット１３が形成されて、切り起こし片８をケース素材２０から容易に切り起こすことができるように構成されている。
【００１７】
図２，図３に示すように、ケース底壁４に、前記嵌合凸部９に対応し、ケース外側（下側）に向かって開口する嵌合凹部１０が、平面視で嵌合凸部９に重なるように形成されている。第１底板片７Ａと第２底板片７Ｃの先端部の両角部は矩形状の切欠き部１１が形成されている。第１底板片７Ａと第２底板片７Ｃを折り目Ｐで折り曲げて先端部を突き合わせると、互いの切欠き部１１が対向して嵌合凹部１０が形成される。
【００１８】
前記嵌合凸部９と前記嵌合凹部１０は複数組設けられている。複数の嵌合凸部９はケース上壁３に分散配設され、複数の嵌合凹部１０はケース底壁４に分散配設されている。本実施形態では、嵌合凸部９と嵌合凹部１０は一組ずつ設けられている。
【００１９】
一方の嵌合凸部９は、ケース上壁３の長手方向一端部側の幅方向中央部に配設され、他方の嵌合凸部９は、ケース上壁３の長手方向他端部側の幅方向中央部に配設されている。また、一方の嵌合凹部１０は、ケース底壁４の長手方向一端部側の幅方向中央部に配設され、他方の嵌合凹部１０は、ケース底壁４の長手方向他端部側の幅方向中央部に配設されている。
【００２０】
そして図４に示すように、複数の梱包ケース１を上下に積み重ねる場合に、下側の梱包ケース１のケース上壁３に形成された一対の嵌合凸部９に、上側の梱包ケース１のケース底壁４に形成された一対の嵌合凹部１０を上方から各別に嵌合させるよう構成されている。
【００２１】
前記切り起こし片８は、第２上板片６Ｂと第４上板片６Ｄに対応するケース素材部分から切り起こされる（図３参照）。これにより、切り起こし片８を切り起こしたことで第２上板片６Ｂと第４上板片６Ｄに形成される開口を、第１上板片６Ａと第３上板片６Ｃで覆い隠すことができて、梱包ケース１内の収納部品が露出する不具合を回避することができる。
【００２２】
図１に示すように、第２上板片６Ｂに対応するケース素材部分から切り起こされた切り起こし片８は、第１上板片６Ａと第３上板片６Ｃの長手方向一端部側の先端部（コーナー部）にケース外側から重ね合わされて接着固定されている。第４上板片６Ｄに対応するケース素材部分から切り起こされた切り起こし片８は、第１上板片６Ａと第３上板片６Ｃの長手方向他端部側の先端部（コーナー部）にケース外側から重ね合わされて接着固定されている。これにより、第１上板片６Ａと第３上板片６Ｃを切り起こし片８で押さえつけて安定的に固定することができる。
【００２３】
図２，図３に示すように、各組の嵌合凹部１０のうちの一方の嵌合凹部１０は、第１底板片７Ａの長手方向一端部側の先端部（コーナー部）と、第３底板片７Ｃの長手方向一端  部側の先端部（コーナー部）とを切り欠いて形成されている。また、他方の嵌合凹部１０は、第１底板片７Ａの長手方向他端部側の先端部（コーナー部）と、第３底板片７Ｃの長手方向他端部側の先端部（コーナー部）とを切り欠いて形成されている。これにより、嵌合凹部１０を簡単かつ正確に形成することができる。
【００２４】
本実施形態によれば、複数の梱包ケース１が積み重ねられたとき（図５参照）の荷崩れを、嵌合凸部９と嵌合凹部１０の嵌合によって防止できる。例えば、図６に示すように、積み重ねられた複数の梱包ケース１が傾いても複数の梱包ケース１がずれにくい。すなわち、積み重ねられた梱包ケース１の水平方向のずれを効果的に防止でき、輸送中や保管中に荷崩れが生じにくくすることができる。このように、複数の梱包ケース１の荷崩れを、梱包ケース１とは別の固定用の部品を用いることなく防止できる。従って、前記別の部品に要するコストを不要にでき、別の部品を用いる場合よりも梱包ケース１の積み重ね作業を簡単に行うことができる。また、保管時に梱包ケース１に加わる荷重が安定して梱包ケース１が潰れにくくなる。
【００２５】
さらに、複数の嵌合凸部９がケース上壁３に、複数の嵌合凹部１０がケース底壁４にそれぞれ分散配設されているから、前記荷崩れを、より確実に防止できる。そして、保管時に梱包ケース１に加わる荷重がより安定して梱包ケース１が潰れにくくなる。
【００２６】
［別実施形態］
（１）  前記嵌合凹部１０が前記ケース上壁３に形成され、前記嵌合凸部９が前記ケース底壁４に形成されていてもよい。
（２）  前記ケース底壁４に嵌合凸部９と嵌合凹部１０が分散配設され、前記ケース上壁３に嵌合凹部１０と嵌合凸部９が分散配設されていてもよい。
（４）  前記切り起こし片８は、前記第１〜第４側板５Ａ，５Ｂ，５Ｃ，５Ｄのいずれかに対応するケース素材部分から切り起こされていてもよい。
【産業上の利用可能性】
【００２７】
本発明は、画像形成装置の部品を収容する梱包ケースについて有用であり、特に、複写機、ファクシミリ、プリンタ、及び複合機（ＭＦＰ）等の部品を収容する梱包ケースに有用である。
【符号の説明】
【００２８】
２                      ケース胴部
３                      ケース上壁
４                      ケース底壁
５Ａ，５Ｂ，５Ｃ，５Ｄ  側板
６Ａ，６Ｂ，６Ｃ，６Ｄ  上板片
７Ａ，７Ｂ，７Ｃ，７Ｄ  底板片
８                      切り起こし片
９                      嵌合凸部
１０                      嵌合凹部
２０                      ケース素材
Ｏ                      ケース中心
Ｐ                      折り目
【図１】
2019189258.tif 000003
【図２】
2019189258.tif 000004
【図３】
2019189258.tif 000005
【図４】
2019189258.tif 000006
【図５】
2019189258.tif 000007
【図６】
2019189258.tif 000008